(57)【要約】【課題】デイスク状記録媒体を浮き出し収納部の厚みと外形状にそって抜け出すことなく収納すると同時に外側の固着部でめくれ現象を阻止し、続いてデイスク状記録媒体の厚み分だけ板状体を離間させつつ板状体の間に積層状態で保持することによって、デイスク状記録媒体の幅外形と略々同寸法に抑える記録媒体用ジャケットを提供する。【解決手段】重ね合わせた複数の板状体２１，５０，６０，７０，２２，７１の少なくとも一方にデイスク状記録媒体Ｄの厚みと外形状とに合わせて浮き出し加工した浮き出し収納部２４を設けるとともに、浮き出し収納部２４に続く上記板状体の少なくとも一方に上記各板状体を非接着状態として前記厚みで接離自在としたフリ−収納部３１を設けることでデイスク状記録媒体Ｄのポケット部２を形成し、上記フリ−収納部３１が位置する板状体はデイスク状記録媒体Ｄの幅外形と略々同寸法に構成され、前記浮き出し収納部２４の外側には板状体の固着部２５が形成されてなる。【選択図】  図１
2004292017.tif 000002
【特許請求の範囲】
【請求項１】
重ね合わせた複数の板状体の少なくとも一方にデイスク状記録媒体の厚みと外形状とに合わせて浮き出し加工した浮き出し収納部を設けるとともに、浮き出し収納部に続く上記板状体の少なくとも一方に上記各板状体を非接着状態として前記厚みで接離自在としたフリ−収納部を設けることでデイスク状記録媒体のポケット部を形成し、上記フリ−収納部が位置する板状体はデイスク状記録媒体の外形寸法内に構成され、前記浮き出し収納部の外側には板状体の固着部が形成されてなる記録媒体用ジャケット。
【請求項２】
請求項１記載の記録媒体用ジャケットにおいて、浮き出し収納部には浮き出し部位の立上壁を外形線上にわたって部分的に切除する切除部が設けられていることを特徴とする記録媒体用ジャケット。
【請求項３】
請求項２記載の記録媒体用ジャケットにおいて、切除部が浮き出し収納部の収納縁部に位置して設けられていることを特徴とする記録媒体用ジャケット。
【請求項４】
請求項１から３のいずれかに記載の記録媒体用ジャケットにおいて、表面に郵便物として扱われることが可能な印刷面が形成されていることを特徴とする記録媒体用ジャケット。
【請求項５】
請求項１から４のいずれかに記載の記録媒体用ジャケットに、デイスク状記録媒体に積層されてなるカバ−部を折り畳み自在に設けたことを特徴とする記録媒体用ジャケット。
【発明の詳細な説明】
【０００１】
【発明の属する技術分野】
本発明は、ＣＤ、ＤＶＤを始めとするディスク状の記録媒体を収納するジャケット類の技術分野に属する。
【０００２】
【従来の技術】
近年では、ＣＤ，ＣＤ‐ＲＯＭ，ＤＶＤ‐ＲＯＭなどのデイスク状の記録媒体の普及に伴い、郵便や小冊子の綴じ込み、あるいは保管や整理などにも適した薄型の記録媒体用ジャケットが求められている。また、このような記録媒体用ジャケットは、大量生産の工程に馴染むようにあらかじめ一括して表面の印刷等の意匠的加工を施すことが可能であることが望ましい。
【０００３】
ディスクを収納する薄型の記録媒体用ジャケットとしては、図１４および図１５に示すものが提供されている。この薄型ジャケット１００は、２つの厚紙１０１，１０２の３辺を接着領域１０３で接着して一体化し、接着されていない１辺を開口部とする収納部１０４を形成するとともに、板状体１０１，１０２の収納部１０４の外周を円弧状にわたるすじ押し部１０６を施した構造となっている。すじ押し部１０６は、凹条を呈しその外周側の凸条部１０７とで並行形成され、円弧状にわたって所定幅を備えている。なお、接着領域１０３はすじ押し部１０６のさらに外周側３辺にわたって所定幅に形成されている。
【０００４】
【発明が解決しようとする課題】
上記薄型ジャケット１００は、すじ押し１０６と一方の板状体１０２とが接する当接部１０８が固着されずに積層状態で外周線上にわたって円弧状に形成されているので、ディスクＤを押し込みすると、すじ押し１０６の傾斜壁１０９にディスクＤの外周縁が当接して収納される。
【０００５】
収納に際しては、傾斜壁１０９の傾斜が緩くなっており、最初には馴染んでいないことがあるので、どうしても強く押し込みしがちである。強く押し込みすると、ディスクＤの外周縁が傾斜壁１０９を強く押し付けするために、傾斜壁１０９が当接部１０８を支点として垂直方向へと押し曲げされ易く、ディスクＤの収納位置がだんだん深くなってくる。繰り返し収納に伴って、当接部１０８が板状体１０２から浮き上がってしまい、いわゆるめくれ現象を招来することとなって、適切な収納を確保できなくなる。
【０００６】
そこで、接着領域１０３を当接部１０８まで拡張することを試みたが、凸条部１０７と板状体１０２との空隙１１０への接着剤の無駄を省くために空隙１１０を避けて接着剤を塗布しなければならないが、条件設定が難しいことが判明した。しかも、当接部１０８のみの線条にわたる接着だけでは、繰り返し押し込みに対して強固なものとは言えないことも判明した。また、当接部１０８までを接着剤で接着すると、接着剤が狭幅の当接部１０８から収納部側に流出してしまうので、収納時にデイスク外周縁部が接着剤に接触するという問題点が避けられなかった。
【０００７】
また、郵送形態としては、この種の薄型ジャケット１００を郵送用パッケ−ジで包装することなく、ジャケットのままで郵送しようとすることが試みられている。薄型ジャケット１００はすじ押し１０６の幅と３辺の接着領域１０３との存在によって郵便法の定型郵便物外となるので、最低限の料金体系を利用することが困難であった。
【０００８】
本発明は、上述の課題を考慮してなされたものであって、最も簡略化された構造として必要限度のパッケ−ジ保護形態とし、郵送に際しても低額料金体系を利用できるようにした記録媒体用ジャケットを提供することを目的とするものである。
【０００９】
【課題を解決するための手段】
前記課題を解決するために、本発明の記録媒体用ジャケットは、次のような手段を採用する。
【００１０】
すなわち、請求項１の記録媒体用ジャケットでは、重ね合わせた複数の板状体の少なくとも一方にデイスク状記録媒体の厚みと外形状とに合わせて浮き出し加工した浮き出し収納部を設けるとともに、浮き出し収納部に続く上記板状体の少なくとも一方に上記各板状体を非接着状態として前記厚みで接離自在としたフリ−収納部を設けることでデイスク状記録媒体のポケット部を形成し、上記フリ−収納部が位置する板状体はデイスク状記録媒体の外形寸法内に構成され、前記浮き出し収納部の外側には板状体の固着部が形成されてなる。
【００１１】
この手段によると、デイスク状記録媒体が浮き出し収納部の厚みと外形状にそって抜け出すことなく収納されると同時に外側の固着部でめくれ現象が阻止されている。デイスク状記録媒体は、浮きだし収納部では外形にそって抜け出すことなく位置決めされて保持されることに続いて、フリ−収納部ではデイスク状記録媒体の厚み分だけ板状体が離間させられつつ板状体の間に積層状態で保持される。これに伴って、フリ−収納部ではデイスク状記録媒体の外形と略々同寸法あるいは同寸法以内に抑えられていると同時に、浮き出し収納部ではデイスク状記録媒体の径小部位となる。
【００１２】
また、請求項２では、請求項１記載の記録媒体用ジャケットにおいて、浮き出し収納部には浮き出し部位の立上壁を外形線上にわたって部分的に切除する切除部が設けられていることを特徴とする。
【００１３】
この手段によると、浮き出し収納部にデイスク状記録媒体の大部分が押し込みされる際に、切除部へ記録媒体の外縁が当接するので、外形線上にわたって立上壁に強く当接することなく嵌まり込んで、浮き出し収納部に収納される。
【００１４】
また、請求項３では、  請求項２記載の記録媒体用ジャケットにおいて、切除部が浮き出し収納部の収納縁部に位置して設けられていることを特徴とする。
【００１５】
この手段によると、押し込み先端側の収納縁部が切除されているので、デイスク状記録媒体が収納縁部で傾斜壁に当接することなく嵌まり込みされる。
【００１６】
また、請求項４では、請求項１から３のいずれかに記載の記録媒体用ジャケットにおいて、表面に郵便物として扱われることが可能な印刷面が形成されていることを特徴とする。
【００１７】
この手段によると、デイスク状記録媒体を収納したジャケットが定形郵便物の規格サイズとして低額で郵送可能となる。
【００１８】
さらに、請求項５では、請求項１から５のいずれかに記載の記録媒体用ジャケットに、デイスク状記録媒体に積層されてなるカバ−部を折り畳み自在に設けたことを特徴とする。
【００１９】
この手段によると、カバ−部の積層に伴う補強効果が奏される。
【００２０】
【発明の実施の形態】
以下、本発明の実施の形態（１）について、図面に基づいて説明する。
【００２１】
図１は記録媒体用ジャケットの概略を示す全体斜視図、図２は図１の折り畳み状態の斜視図、図３は図１の展開図、図４は図１のＡ‐Ａ線拡大断面図、図５は図１のＢ‐Ｂ線拡大断面図、図６は浮き出し加工を施す際の拡大断面図である。記録媒体用ジャケットとしては円盤状のディスクジャケットを例示する。
【００２２】
ディスクジャケット１は、厚紙ないし薄くて保形性を有するシ−ト紙等の板状体を素材として成形され、ディスクＤを収納するポケット部２と、カバー部４とから構成される。図２に示すように、ディスクジャケット１は、ポケット部２とカバ−部４とを折り畳み自在な全体形態を呈し、ポケット部２とカバ−部４はそれぞれ折り畳んだときの長さ方向Ｙに僅かに横長な寸法に構成され、幅方向ＸではディスクＤの直径と略々同寸法に構成されている。
【００２３】
図３に示すように、上記ディスクジャケット１は、ポケット部２を形成する浮き出し基板２１及び支持基板２２と、カバ−部４を形成するカバ−裏板４１及びカバ−表板４２とからなる連続した複数の板状体から全体構成される。浮き出し基板２１と支持基板２２は折り目２３を介して積層され、カバ−裏板４１とカバ−表板４２は折り目４３を介して積層され、ポケット側の基板２１，２２とカバ−側の表裏板４１，４２は所定幅を有する複数条の折り目ないしすじ押し１１を介して折り畳み自在に連結されている。
【００２４】
上記ポケット部２は、浮き出し基板２１に浮き出し加工を施してなる浮き出し収納部２４を備え、浮き出し収納部２４の外周外側では浮き出し基板２１と支持基板２２とが接着剤などによって積層状態で固着されて固着部２５が形成されている。浮き出し収納部２４は、ディスクＤを抜け出さずに収納可能な程度の外周線上にわたって構成され、少なくとも全周の略々１／３程度に設けられている。また、浮き出し収納部２４は、外周線上の幅方向Ｘの両縁手前まで延び、両縁手前の浮き出しされていない位置で終了している。
【００２５】
上記固着部２５は、外周外側に沿って幅方向Ｘの両縁手前までわたり、両縁手前では非接着状態のフリ−収納部３１になっている。固着部２５は、浮き出し基板２１と支持基板２２の重ね合わせ部分の全域とする必要がなく、図３に示すように、外周外側に沿って部分的とすることで足りる。図５に示すように、固着部２５から浮き出し加工による立上壁２６が浮き出しされ、立上壁２６の支持基板側は強固に固着されている。なお、立上壁２６は基板に対してきつい立上角度αが浮き出しされている。
【００２６】
また、フリ−収納部３１は、浮き出し加工されておらず、非接着状態で支持基板２２に重ねられて構成され、長さ方向ＹにおいてディスクＤの約半径程度から約２／３超程度まで自由端が延長されていることが望ましい。フリ−収納部３１は、ディスクＤの厚みなどで離間される程度の可撓性を有し、収納後に自復する柔軟性を備えている。なお、フリ−収納部３１の開口側中央には指かけ３２が切欠されている。
【００２７】
さらに、浮き出し収納部２４には浮き出し部位の立上壁２６を外周線上にわたって部分的に切除した切除部２７が設けられている。この実施例では、切除部２７が浮き出し収納部２４の収納縁部に位置し、ディスクＤの外周縁が嵌まり込みできる幅と長さに形成されている。切除部２４は、図示するように幅寸法よりも長さ寸法が大きく形成され、デイスクＤの外周縁を外周線上にわたって確実に保持可能に構成されている。切除部２４の外周縁部では板状体２１の端面でストッパ部２８が構成されている。ストッパ部２８は、板状体２１の肉厚端面で外周線上にわたる長さ寸法に形成されている。図示しないが切除部２７は外周線上の所望位置に複数設けることができ、所望の嵌まり込みが得られる。
【００２８】
次に、カバ−部４は、舌片４４，４５を折り目２３を介してカバ−裏板４１の上側に折り曲げ、舌片４４，４５を覆うようにしてカバ−表板４２を積層して舌片４４，４５により接着して袋状に構成される。カバ−部４は舌片４４，４５の折り曲げと袋状体とによって補強され、ポケット部２に重ねられて全体としてディスクジャケット１が補強される。カバ−部４にはしおりなどの小冊子４７が挿入可能となっている。
【００２９】
上記構成に基づく作用を説明する。
ポケット部２のフリ−収納部３１と支持基板２２との間にディスクＤを差し込みすると、フリ−収納部３１が支持基板２２から離間されて浮き出し収納部２４に連通する空隙が形成される。その結果、ディスクＤが空隙に沿って挿入され、ディスクＤの外周縁が浮き出し収納部２４の立上壁２６に接近し、切除部２７に嵌まり込みされると同時にストッパ部２８に当接して位置決めされる。位置決め状態では、外周縁が立上壁２６に当接している。即ち、ディスクＤの挿入位置は、切除部２７に嵌まり込みされた外周縁が切除部２７のストッパ部２８に当接することで決せられるうえに、切除部２７から外周縁が露出して肉視されることで確認されてから、挿入操作も停止される。ディスクＤは、切除部２７に嵌まり込みされつつ浮き出し収納部２４の立上壁２６に沿って外周縁が位置決めされ、浮き出し収納部２４の浮き出し面域で挟み込みされる。
【００３０】
浮き出し収納部２４でディスクＤが位置決め保持されると、フリ−収納部３１では自由端側がディスク側に接近して積層される状態となるので、ディスクＤは浮き出し収納部２４での保持とこれに連続するフリ−収納部３１での抑え込みとによって収納されるに至る。
カバ−部４には袋体内部に小冊子４７が挿入されるので、カバ−部４とポケット部２とを折り目１１を介して重ね合わせると、ディスクジャケット１が全体として補強される。図示しない結束手段やフィルムカバ−に挿入すれば、図２に示すようなカバ−表板４２の郵便表示面４８により郵送可能な状態となる。
【００３１】
この実施の形態（１）によると、幅方向ＸではディスクＤの厚みで立上壁２６が浮き出し加工が施されているために、従来のポケット部の如くきつくて無理押しすることもなく、スムーズに収納できる。切除部２７を通して、記録媒体がポケットの最奥部まで挿入されていることを視覚的にも確認でき、無理に奥へ挿入しようとするのを抑止できる。さらに、図３に示しすように、カバー部４を閉じた状態にあっては、舌片４４，４５を含めた５層構造となるうえに、対向する２つの舌片部分が補強部となるために、ディスクジャケット１の剛性を著しく高くすることができた。さらにまた、切除部２７を肉視することでディスクＤの収納状態を容易に確認することも可能となった。
【００３２】
さらに、図６に示すように、浮き出し収納部２４の浮き出し加工は、上型１２と下型１３の一方の押さえ側１２ａ，１３ａで板状体を挟み込みし、他方側では板状体の移動を許容しつつプレスすることで段部１２ｂ，１３ｂで浮き出し加工がなされる。この場合には、立上壁２６がきつい角度で形成される。
【００３３】
ところで、平成１５年３月現在では、横幅１２ｃｍ以下、縦幅２３．５ｃｍ以下、厚み１ｃｍ以下であって、重量が５０ｇ以下という条件を満たせば、定型郵便物として扱われ、郵便料金９０円で郵送できるとされている．この実施の形態（１）にかかるデイスクジャケットは、横幅Ｘが１２ｃｍとされているため、図２に示すように折畳みして図示しない結束手段で結束して郵送可能である。また、図示しないシュリンクラップ等の薄手の袋状体に包んで郵送することもでき、この際にも重量が５０ｇ以下である限りは前記条件を満たすことができる。従って、前記袋状体の表面に宛先等の郵便用の情報を表示したうえで、安価に郵送することが可能である。
【００３４】
図７は実施の形態（２）を示す展開図、図８は図７の背面を示す展開図、図９は折り畳み状態を示す平面図である。なお、同一符号は同等部分を示す。
【００３５】
ディスクジャケット１は、主に郵送を目的とした紙製のものであり、生産工程の迅速化、生産コストの低減化を意図して、あらかじめ郵送するための情報を印刷していることを特徴とする。
【００３６】
すなわち、ディスクジャケット１は、定型郵便物として郵送できるように、幅方向Ｘを１２ｃｍとし、長さ方向Ｙをを１４ｃｍとし、カバー部４を一枚のカバ−表板５２から構成したことを特徴とする。カバ−表板５２は、その背面に郵便用の情報をあらかじめ印刷した郵送表示面４８を設け、折り畳んだ際に支持基板２２の背面と接合するための舌片５１が設けられている。浮き出し基板５０は、切除部５３を外周線上のやや偏った位置に楕円形で設け、これによって浮き出し収納部２４が形成される。フリ−収納部３１は長さ方向Ｙに対して実施の形態（１）よりも僅かに短く形成することができる。また、指かけ５４は、ディスクＤの貫通孔を略々半分程度露出させるように拡開している。
【００３７】
このディスクジャケット１は、３枚の紙状体５０，２２，５２を折り畳みで糊付けすることにより得られる点で生産工程が極めて簡略化されているばかりか、３枚の紙状体と浮き出し基板５０の長さ寸法と一枚のカバ−部４とによる軽量化を図った上で郵送のための情報があらかじめ印刷されているために、簡易に低額に郵送可能となる。
【００３８】
図１０は実施の形態（３）を示す展開図、図１１はポケット部が折り畳まれた平面図である。
【００３９】
ディスクジャケット１は、郵送を目的として３枚の基板から構成される紙製のディスクジャケットであり、浮き出し基板５０の形状がディスクの外周にあわせた形状とされていることを特徴とする。
【００４０】
すなわち、浮き出し基板６０はディスクＤの直径よりも幅狭に形成され、幅方向ＸからはデイスクＤの記録面に影響を与えない両外周外側が表出される。浮き出し収納部２４は浅めに形成され、これに対応して切除部６１は外周の長さ方向に沿って長く切除される。フリ−収納部３１は長さ方向Ｙに長くて先端がデイスクＤの外周にあわせた円弧状に形成されている。
【００４１】
このディスクジャケット１によれば、浮き出し収納部２４からフリ−収納部３１が長く伸ばされているので、ディスクＤの略々表面全体にわたってディスクＤを抑え込み、広い面域で挟持することができるため、ディスクジャケット１内でのディスクＤの揺れ動きを防止するのに優れている。また、ディスクＤの表面の露出が少ないのでディスク表面の損傷を防止するのにも優れている。さらに、フリ−収納部３１が長さ方向Ｙに長く構成されているので、フリ−収納部の撓みを利用して容易に接離自在に操作することができ、デイスクＤの収納と取り出しが容易に行える。
【００４２】
さらにまた、切除部６１が外周上に沿ってデイスクＤの外周を長く嵌め込みすることができ、浮き出し収納部２４が浅い場合でも抜け出すことがない。切除部６１を外周線上の約１／６程度に図示したが、最大限１／３程度まで連続的にあるいは不連続的に延長することが可能である。なお、カバー部４を折り畳みして図示しない郵送表示面により郵送可能である。
【００４３】
図１２は実施の形態（４）を示す展開図であり、図１３は折り畳み状態を示す平面図である。
【００４４】
ディスクジャケット１は、浮き出し基板７０と支持基板７１との２枚の基板から構成されていることを特徴とする。
【００４５】
すなわち、ディスクジャケット１は、実施の形態（１）ないし（３）とは異なってカバー部が設けられておらず、浮き出し基板７０が支持基板７１と略々同寸法とされ、支持基板７１がカバー部を兼ねている。また、切除部７３が立上壁２６に沿う外周線上の複数形成されている。なお、支持基板７１の背面には図示しない郵送表示面が設けられ、舌片５１が設けられている。
【００４６】
このディスクジャケット１は、一枚のシート状の紙状体を折りたたみ、接合することにより得られる点のみならず、浮き出し基板７０と支持基板７１の僅か２枚の板状体のみから得られる点で、最も生産工程を簡略化でき、生産コストも最も低く抑えられるものである。また、切除部７３がデイスクＤの外周縁を複数箇所ではめ込み保持しているので、確実な収納保持が確保できるうえに、外周縁のみの部分的な露出であるから、記録面に影響を与えることがない状態で実施加工である。切除部７３は嵌め込みの必要に応じて任意に設計可能となる。
【００４７】
以上のように実施の形態（１）〜（４）について、図面に基づいて詳細に説明してきたが、本発明の具体的な実施の形態はこれらに限定されるものではなく、各実施の形態を組み合わせることや、各部に必要に応じて適宜変更を加えることが自由である。
例えば、記録媒体用ジャケットの材料としてプラスチックシ−トを用い、板状体も溶着する方法を採用することも可能であるし、切除部２７，５３，６１，７３を嵌め込み効果やデザイン上の観点よりさまざまな形状に変更することもできる。さらに、２枚から４枚の基板を前提として説明したが、基板の枚数を増加することも可能である。
【００４８】
また、上記実施の形態（１）〜（４）において、円盤状のデイスクＤの収納を前提としたデイスクジャケット１を図示説明したが、円盤状に限定する趣旨ではなく、小型の長方形カ−ド型や２辺弧形状のカ−ド型等の各種形状のデイスク状記録媒体用ジャケットとして実施可能である。この場合には、浮き出し収納部２４とフリ−収納部３１を各種形状に合致させることで実現される。
【００４９】
さらに、実施の形態（１）のデイスクジャケットの幅Ｘが１２ｃｍの場合を例示したが、これに限定する趣旨ではない。上述した小型デイスクの場合には１２ｃｍ以下の実施は可能であるが、上述した現行郵便法の範囲内であれば敢えて幅Ｘを狭く実施しなくてもよい。なお、郵便法の改正に対応する寸法（横幅を含む）や重量などの範囲内で本発明の実施を行えることは明らかである。
【００５０】
さらにまた、浮き出し収納部２４を浮き出し基板２１，５０，６０，７０に形成した場合を示したが、支持基板２２，７１にも付加形成することを妨げない。この場合には、両基板の総和によって浮き出し厚みが得られれば良い。
【００５１】
【発明の効果】
以上、詳述してきたように、本発明の記録媒体用ジャケットは、デイスク状記録媒体が浮き出し収納部の厚みと外周形状にそって抜け出すことなく収納できると同時に外周外側の固着部でめくれ現象を阻止することができ、浮きだし収納部の位置決め保持によってフリ−収納部では記録媒体の厚み分だけ板状体が離間させられつつ板状体の間に積層状態で保持される。これに伴って、フリ−収納部では固着代などを不要としてデイスク状記録媒体の外形と略々同寸法あるいは同寸法内に抑えられているので、特に低額な郵便料金体系の利用が可能となる効果を奏する。
【図面の簡単な説明】
【図１】本発明の実施の形態（１）にかかる記録媒体用ジャケットを開いた状態を示す斜視図である。
【図２】本発明の実施の形態（１）にかかる記録媒体用ジャケットを折り畳み状態を示す斜視図である。
【図３】本発明の実施の形態（１）にかかる記録媒体用ジャケットが紙状体の展開図である。
【図４】図１のＡ‐Ａ線で切断した拡大断面図である。
【図５】図１のＢ‐Ｂ線で切断した拡大断面図である。
【図６】板状体に浮き出し加工する拡大断面図である。
【図７】本発明の実施の形態（２）にかかる記録媒体用ジャケットの展開図である。
【図８】本発明の実施の形態（２）にかかる記録媒体用ジャケットの背面を示す展開図である。
【図９】実施の形態（２）の折りたたみ状態を示す平面図である。
【図１０】実施の形態（３）にかかる記録媒体用ジャケットの展開図である。
【図１１】実施の形態（３）にかかる記録媒体用ジャケットの平面図である。
【図１２】実施の形態（４）にかかる記録媒体用ジャケットの展開図である。
【図１３】実施の形態（４）にかかる記録媒体用ジャケットの平面図である。
【図１４】従来の技術の一例を示す斜視図である。
【図１５】図１４のＡ‐Ａ線で切断した拡大断面図である。
【符号の説明】
１                            ディスクジャケット
２                            ポケット部
４                            カバ−部
２１，５０，６０，７０        浮き出し基板
２２，７１                    支持基板
２４                          浮き出し収納部
２５                          固着部
２６                          立上壁
２７，５３，６１，７３        切除部
２８                          ストッパ部
３１                          フリ−収納部
４１                          カバ−裏板
４２，５２                    カバ−表板
４８                          郵送表示面
５４                          指かけ
Ｘ                            幅方向
Ｙ                            長さ方向
Ｄ                            ディスク
【図１】
2004292017.tif 000003
【図２】
2004292017.tif 000004
【図３】
2004292017.tif 000005
【図４】
2004292017.tif 000006
【図５】
2004292017.tif 000007
【図６】
2004292017.tif 000008
【図７】
2004292017.tif 000009
【図８】
2004292017.tif 000010
【図９】
2004292017.tif 000011
【図１０】
2004292017.tif 000012
【図１１】
2004292017.tif 000013
【図１２】
2004292017.tif 000014
【図１３】
2004292017.tif 000015
【図１４】
2004292017.tif 000016
【図１５】
2004292017.tif 000017